(57)【要約】【課題】ドアの施工作業後でも容易に施工でき、且つ安定した動作を行うことができる電気錠を提供することにある。【解決手段】電気錠１は、手動により施解錠を行う既存の錠装置からなる第１錠装置８０及び第２錠装置８１がそれぞれ設けられたドア６の室内側となる面である裏面６ａに設置されるとともに、各錠装置８０，８１に機械的に結合されて各錠装置８０，８１の施解錠を行う駆動装置２０，２１と、ドア６のドア枠７に取り付けられることでドア６の近傍に設置される１次巻線を有して商用電源ＡＣに接続される送電部４、及びドア６が閉じられた状態で１次巻線と非接触でトランス結合するようにドア６に設置される２次巻線を有して各駆動装置２０，２１に電力を供給する受電部５からなる給電装置３とを備えている。【選択図】図１
2007321425.tif 000002
【特許請求の範囲】
【請求項１】
手動により施解錠を行う既存の錠装置が設けられたドアの室内側となる面に設置されるとともに、錠装置に機械的に結合されて錠装置の施解錠を行う駆動装置と、ドアの近傍に設置される１次巻線を有して商用電源に接続される送電部、及びドアが閉じられた状態で１次巻線と非接触でトランス結合するようにドアに設置される２次巻線を有して駆動装置に電力を供給する受電部からなる給電装置とを備えていることを特徴とする電気錠。
【請求項２】
駆動装置と給電装置の受電部は一体に形成されていることを特徴とする請求項１に記載の電気錠。
【請求項３】
送電部はドア枠に埋設され、受電部はドアに埋設されていることを特徴とする請求項１に記載の電気錠。
【請求項４】
送電部の１次巻線と受電部の２次巻線の少なくとも一方は、埋設されていることを特徴とする請求項１に記載の電気錠。
【請求項５】
送電部の１次巻線と受電部の２次巻線の少なくとも一方は、フィルム状に形成されてドアとドア枠の隙間に配設されていることを特徴とする請求項１に記載の電気錠。
【発明の詳細な説明】
【技術分野】
【０００１】
本発明は、ドア等に設置されて自動で施解錠を行うために用いられる電気錠に関するものである。
【背景技術】
【０００２】
従来から自動で施解錠を行える電気錠が提供されている（例えば、特許文献１）。この特許文献１の電気錠は、ドアの施工作業時にドアに埋設して取り付けられるものであり、トランスを利用した非接触の給電部材により電力が供給されるようになっている。
【特許文献１】特開平９−３１７３４６号公報（図１及び図５）
【発明の開示】
【発明が解決しようとする課題】
【０００３】
ところで、特許文献１の電気錠は、上述したように、ドアの施工作業時にドアに埋設されるものであるから、ドア等の施工作業時に電気錠の設置作業を同時に行う必要がある。そのため、既に施工され手動により施解錠を行う既存の錠装置が設けられたドア等に特許文献１の電気錠を設置しようとした際（すなわち電気錠を後付けしようとした際）には、ドアを一旦解体して、既存の錠装置を、特許文献１の電気錠に換装するという作業を行わなければならなかった。
【０００４】
つまり、特許文献１の電気錠では、ドアの施工作業を行った後では容易に設置することができず、後付けしようとした際には、電気錠の設置作業に非常に手間がかかってしまうという問題があった。
【０００５】
本発明は上述の点に鑑みて為されたもので、その目的は、ドアの施工作業後でも容易に設置でき、且つ安定した動作を行うことができる電気錠を提供することにある。
【課題を解決するための手段】
【０００６】
上記の課題を解決するために、請求項１の電気錠の発明では、手動により施解錠を行う既存の錠装置が設けられたドアの室内側となる面に設置されるとともに、錠装置に機械的に結合されて錠装置の施解錠を行う駆動装置と、ドアの近傍に設置される１次巻線を有して商用電源に接続される送電部、及びドアが閉じられた状態で１次巻線と非接触でトランス結合するようにドアに設置される２次巻線を有して駆動装置に電力を供給する受電部からなる給電装置とを備えていることを特徴とする。
【０００７】
請求項２の電気錠の発明では、請求項１の構成に加えて、駆動装置と給電装置の受電部は一体に形成されていることを特徴とする。
【０００８】
請求項３の電気錠の発明では、請求項１の構成に加えて、送電部はドア枠に埋設され、受電部はドアに埋設されていることを特徴とする。
【０００９】
請求項４の電気錠の発明では、請求項１の構成に加えて、送電部の１次巻線と受電部の２次巻線の少なくとも一方は、埋設されていることを特徴とする。
【００１０】
請求項５の電気錠の発明では、請求項１の構成に加えて、１次巻線と２次巻線の少なくとも一方は、フィルム状に形成されて、ドアとドア枠の隙間に配設されていることを特徴とする。
【発明の効果】
【００１１】
請求項１の電気錠の発明は、ドアの近傍に給電装置の送電部を取り付けるとともに、ドアに給電装置の受電部及び駆動装置を取り付けるだけの簡単な作業で設置できるから、ドアの施工作業後でも容易に設置できるという効果を奏するとともに、給電装置により非接触で駆動装置に商用電源から電力供給を行えるから、電池等を用いる場合とは異なり、突然動作が停止してしまうことがなくなって略永続的に駆動装置を動作させることが可能となり、常に安定した動作が行えるという効果を奏する。
【００１２】
請求項２の電気錠の発明は、受電部と駆動装置の取り付けを一括して行えるから、設置作業がさらに容易になるという効果を奏する。
【００１３】
請求項３の電気錠の発明は、送電部と受電部をそれぞれドアとドア枠に埋設して、室内側に突出しないようにしているので、ドア及びドア枠の美観を損なうことなく受電部及び送電部を設置できるという効果を奏する。
【００１４】
請求項４の電気錠の発明は、送電部の１次巻線又は受電部の２次巻線又はその両方を埋設することで、送電部又は受電部又はその両方の室内側に突出する量を減らすことができ、これにより送電部又は受電部又はその両方を目立たなくして、ドア枠又はドア又はその両方の美観を損ない難くすることができるという効果を奏する。
【００１５】
請求項５の電気錠の発明は、送電部の１次巻線又は受電部の２次巻線又はその両方をフィルム状に形成することで、送電部又は受電部又はその両方の室内側に突出する量を減らすことができ、これにより送電部又は受電部又はその両方を目立たなくして、ドア枠又はドア又はその両方の美観を損ない難くすることができ、その上、１次巻線又は２次巻線又はその両方は、ドア枠とドアとの隙間に配設されているから、１次巻線又は２次巻線又はその両方を配設する際に、ドア枠又はドア又はその両方を加工しなくて済むという効果を奏する。
【発明を実施するための最良の形態】
【００１６】
（実施形態１）
本実施形態の電気錠１は、図１（ａ）及び図２に示すように、手動により施解錠を行う既存の錠装置からなる第１錠装置８０及び第２錠装置８１がそれぞれ設けられたドア６の室内（屋内）側となる面である裏面６ａに設置されるとともに、各錠装置８０，８１に機械的に結合されて各錠装置８０，８１の施解錠を行う駆動装置２０，２１と、ドア６のドア枠７に取り付けられることでドア６の近傍に設置される１次巻線４ｂを有して商用電源ＡＣに接続される送電部４、及びドア６が閉じられた状態で１次巻線４ｂと非接触でトランス結合するようにドア６に設置される２次巻線５ｂを有して各駆動装置２０，２１に電力を供給する受電部５からなる給電装置３とを備えている。
【００１７】
まず、電気錠１を取り付けるドア６及びドア枠７について図１（ａ），（ｂ）を参照して説明する。尚、以下の説明では、図１（ａ）の上方をドア６の上方、図１（ａ）の下方をドア６の下方と規定する。
【００１８】
ドア６は、例えば、図示しない横框と縦框とで矩形枠状の骨組を形成し、この骨組の両面に合板等の矩形状の板材を貼り付けることで構成されたフラッシュドアからなる。このドア６の水平方向の一端側（図１（ａ）における右端側）の縁部には、手動により施解錠を行う第１錠装置８０が埋設されるとともに、第１錠装置８０の下方には、手動により施解錠を行う第２錠装置８１が埋設されている。また、ドア６の水平方向の他端側（図１（ａ）における左端側）には、ドア６をドア枠７に開閉自在に取り付けるための蝶番（ヒンジ）９が設けられる。尚、電気錠１を設置するドア６としては、上述のフラッシュドアに限られるものではなく、横框及び縦框からなる矩形枠状の框組みの開口に鏡板を配した框（框組）ドアや、無垢ドアであってもよい。
【００１９】
ここで、第１錠装置８０は、主錠前として用いられるものであり、図１（ａ）に示すように、後述するデッドボルト８０ｂ用の挿通孔（図示せず）及び後述するラッチボルト８０ｃ用の挿通孔（図示せず）を有する錠面（図示せず）が、ドア６の水平方向の一端側の側面（すなわちドア６を閉じた状態でドア枠７の後述する縦枠７１と対向する面）６ｂに露出するようにドア６に埋設される筐体８０ａを備えている。さらに第１錠装置８０は、筐体８０ａの錠面に設けられたデッドボルト８０ｂ用の挿通孔から出没するように筐体８０ａに設けられた前述のデッドボルト８０ｂと、デッドボルト８０ｂの出没操作を行うサムターン（図示せず）と、鍵を用いてデッドボルト８０ｂの出没操作を行うためのシリンダ錠（図示せず）とを備えている。サムターンは、ドア６の裏面６ａに露出するように筐体８０ａに設けられ、シリンダ錠は、ドア６の表面（すなわち室外側となる面）６ｃに露出するように筐体８０ａに設けられている。
【００２０】
また、第１錠装置８０は、筐体８０ａの錠面に設けられたラッチボルト８０ｃ用の挿通孔から出没するように筐体８０ａに設けられるとともにばね等の弾性部材（図示せず）により突出する方向に付勢された前述のラッチボルト８０ｃと、弾性部材の付勢に抗してラッチボルト８０ｃを筐体８０ａ内に没入させるためのハンドルレバー８０ｄとを備えており、ハンドルレバー８０ｄは、ドア６の表面６ｃと裏面６ａの両面に露出するように筐体８０ａに設けられている。
【００２１】
このような第１錠装置８０では、室内側からはサムターンを操作して、サムターンを施錠位置又は解錠位置に位置させることでデッドボルト８０ｂによる施解錠が行え、室外側からはシリンダ錠を操作することでデッドボルト８０ｂによる施解錠が行えるようになっている。また、ドア６が閉じられた状態では、ラッチボルト８０ｃによりドア６が施錠され、このラッチボルト８０ｃによる施錠は、ハンドルレバー８０ｄの操作により解除できるようになっている。尚、ハンドルレバー８０ｄの代わりにドアノブを用いてもよく、ドアノブにシリンダ錠を一体に設けたものを用いてもよい。
【００２２】
一方、第２錠装置８１は、補助錠前として用いられるものであり、図１（ａ）に示すように、後述するデッドボルト８１ｂ用の挿通孔（図示せず）を有する錠面（図示せず）が、ドア６の側面６ｂに露出するようにドア６に埋設される筐体８１ａを備えている。また、第２錠装置８１は、筐体８１ａの錠面の挿通孔から出没するように筐体８１ａに設けられた前述のデッドボルト８１ｂと、デッドボルト８１ｂの出没操作用のサムターン（図示せず）と、鍵を用いてデッドボルト８１ｂの出没操作を行うためのシリンダ錠（図示せず）とを備えている。サムターンは、ドア６の裏面６ａに露出するように筐体８１ａに設けられ、シリンダ錠は、ドア６の表面６ｃに露出するように筐体８１ａに設けられている。
【００２３】
このような第２錠装置８１では、第１錠装置８０と同様に、室内側からはサムターンを操作して、サムターンを施錠位置又は解錠位置に位置させることでデッドボルト８１ｂによる施解錠が行え、室外側からはシリンダ錠を操作することでデッドボルト８１ｂによる施解錠が行えるようになっている。
【００２４】
尚、このような第１錠装置８０及び第２錠装置８１としては、従来周知の錠装置を用いることができるから、詳細な説明は省略する。
【００２５】
ドア枠７は、例えば、互いに平行する一対の縦枠７０，７１と、一対の縦枠７０，７１の上端部同士を連結する横枠７２とで構成された三方枠であって、縦枠７０，７１及び横枠７２は、それぞれアルミ等の金属材料を用いて角筒状に形成されている。尚、ドア枠７の縦枠７０，７１、横枠７２としては、木材を用いて角柱状に形成したものを用いてもよい。
【００２６】
このドア枠７においてドア６の側面６ｂと対向する縦枠７１の側面７１ａには、第１錠装置８０用の第１受け座７３が設けられており、この第１受け座７３には、第１錠装置８０のデッドボルト８０ｂ及びラッチボルト８０ｃがそれぞれ没入されるボルト孔７３ａ，７３ｂが設けられている。また、縦枠７１の側面７１ａには、第２錠装置８１用の第２受け座７４が設けられており、この第２受け座７４には、第２錠装置８１のデッドボルト８１ｂが没入されるボルト孔７４ａが設けられている。したがって、デッドボルト８０ｂ、ラッチボルト８０ｃ、及びデッドボルト８１ｂのいずれか１つが対応するボルト孔に没入することによって、ドア６が施錠される。
【００２７】
以上述べたドア６は、ドア枠７の開口内に配置されるとともに、蝶番９を用いてドア枠７の縦枠７０に支持され、これによりドア枠７に開閉自在に取り付けられる。
【００２８】
次に、このようなドア６及びドア枠６に設置される本実施形態の電気錠１について説明する。
【００２９】
電気錠１は、図２に示すように、各錠装置８０，８１の施解錠を行う駆動装置２０，２１と、商用電源ＡＣに接続される送電部４、及び各駆動装置２０，２１に電力を供給する受電部５からなる給電装置３とを備えている。
【００３０】
駆動装置２０は、図１（ａ）に示すように、ねじ止め等によりドア６の裏面６ａに取り付け可能な略矩形状の筐体２０ａを備えており、筐体２０ａには、サムターン摘み２０ｂが回転自在に取り付けられている。このサムターン摘み２０ｂは、第１錠装置８０のサムターンに被着されて、手動によるサムターンの操作を行い易くするとともに、駆動装置２０により自動でサムターンを操作するために用いられるものであり、外周面に係合用の凹凸部（図示せず）が周設されている。
【００３１】
また、筐体２０ａ内には、サムターンを操作して施解錠を行うためにサムターン摘み２０ｂを回動させる駆動機構部（図示せず）が収納されており、駆動機構部は、例えば、モータ（図示せず）と、モータのシャフト（図示せず）に設けられた凹凸部（図示せず）と、サムターンの凹凸部とにそれぞれ係合される歯車（図示せず）を有して、モータの回転によりサムターン摘み２０ｂを回転させる連結部（図示せず）とを備えている。
【００３２】
さらに、筐体２０ａには、リモコンやＩＣカード等の遠隔制御用の装置の無線信号や、ドア６の表面６ａに設置される操作パネルの操作信号を受信するための受信部（図示せず）や、当該受信部で受信した操作信号の内容に応じて第１錠装置８０に施解錠させるために駆動機構部の動作を制御する制御部（図示せず）等が設けられており、これにより第１錠装置８０の施解錠を遠隔制御できるようにしている。
【００３３】
したがって、リモコン等により施錠用の信号を送信した際には、駆動機構部によって、サムターンが施錠位置に位置するようにサムターン摘み２０ｂが回動されて、第１錠装置８０によるドア６の施錠が行われる。一方、リモコン等により解錠用の信号を送信した際には、駆動機構部によって、サムターンが解錠位置に位置するようにサムターン摘み２０ｂが回動され、第１錠装置８０によるドア６の解錠が行われる。
【００３４】
一方、駆動装置２１は、駆動装置２０と同様に、筐体２１ａと、筐体２１ａに回転自在に取り付けられるサムターン摘み２１ｂと、筐体２１ａに収納されてサムターン摘み２１ｂを回動させる駆動機構部（図示せず）とを有するものであるから、駆動装置２１の説明は省略する。尚、駆動装置２１は、駆動装置２０と同様の動作を行うから、その動作の説明も省略する。
【００３５】
以上述べた駆動装置２０，２１は、デイジーチェーン接続が可能なように構成されており、これにより駆動装置２０を電源線Ｌ１にて給電装置３の受電部５に接続し、駆動装置２１を電源線Ｌ２にて駆動装置２０に接続することで、受電部５から各駆動装置２０，２１に電力供給が行えるようになっている。
【００３６】
給電装置３は、図２に示すように、ドア枠７に設置される送電部４と、ドア６に設置される受電部５とで構成されている。
【００３７】
送電部４は、電源線Ｌ３を用いて商用電源ＡＣに接続されて、商用電源ＡＣの電源電圧を元にして高周波電圧を出力する高周波インバータ４ａと、高周波インバータ４ａが出力する高周波電圧が印加される１次巻線４ｂと、これらを収納するとともにねじ止め等により造営面に取り付け可能な筐体４ｃとを備えている。尚、高周波インバータ４ａは、従来周知のものを用いることができるから、詳細な説明は省略する。また尚、送電部４の電源としては商用電源ＡＣに限られるものではなく、おおよそ恒常的に電力供給が行える電源であればよい。
【００３８】
受電部５は、ドア６が閉じられた状態で送電部４の１次巻線４ｂと非接触でトランス結合する２次巻線５ｂと、２次巻線５ｂに生じる電圧を整流して出力するダイオードブリッジ等からなる整流回路５ａと、これらを収納するとともに、ねじ止め等によりドア６に取り付け可能な筐体５ｃとを有している。尚、整流回路５ａとしては、ダイオードブリッジに限られるものではなく、その他の周知な整流回路を用いるようにしてもよい。
【００３９】
次に給電装置３の動作について説明する。まず、給電装置３の送電部４では、電源線Ｌ３を用いて接続された商用電源ＡＣの電源電圧を元に、高周波インバータ４ａによって、高周波電圧が生成され、この高周波電圧が１次巻線４ｂに印加される。そして、受電部５では、ドア６が閉じた状態で１次巻線４ｂと２次巻線５ｂがトランス結合していることによって、受電部５の２次巻線５ｂに１次巻線４ｂと２次巻線５ｂの巻き数の比に応じた電圧が生じ、この電圧が整流回路５ａの入力端間に印加される。そして、整流回路５ａの出力端間には、２次巻線５ｂに生じた電圧を整流してなる整流電圧が生じ、これが駆動回路２０，２１の電源電圧として用いられる。
【００４０】
したがって、このような給電装置３では、送電部４の１次巻線４ｂと受電部５の２次巻線５ｂとが非接触でトランス結合するように構成されているので、商用電源ＡＣの電力を非接触で送電部４から受電部５に供給することができ、これにより受電部５を用いて各駆動装置２０，２１に電力供給を行えるようになっている。
【００４１】
本実施形態の電気錠１は、以上述べた駆動装置２０，２１と、給電装置３とで構成されており、次に、電気錠１の設置方法（取付方法）について説明する。
【００４２】
まず、給電装置３の設置方法について説明する。給電装置３の送電部４は、図１（ｂ）に示すように、ドア枠７において室内側となる面（図１（ｂ）に示す例では、ドア枠７の横枠７２において室内側となる面）に、１次巻線４ｂをドア６側に向けた状態で取り付ける。このように送電部４を取り付けた後には、送電部４を、電源線Ｌ３によって室内（屋内）の商用電源ＡＣに接続する。一方、給電装置３の受電部５は、ドア６の裏面６ａに取り付けるのであるが、このとき、受電部５は、ドア６を閉じた状態で、ドア枠７に設置された送電部４に近接するとともに、２次巻線５ｂが送電部４の１次巻線４ｂと対向するように、すなわち、２次巻線５ｂが送電部４の１次巻線４ｂとトランス結合するように、ドア６の裏面６ａに取り付けるのである。
【００４３】
次に、駆動装置２０，２１の施工方法について説明する。駆動装置２０は、図１（ａ）に示すように、サムターン摘み２０ｂを第１錠装置８０のサムターンに被着するとともに、筐体２０ａをドア６の裏面６ａに固定することで、ドア６に取り付ける。同様に、駆動装置２１は、サムターン摘み２１ｂを第２錠装置８１のサムターンに被着するとともに、筐体２１ａをドア６の裏面６ａに固定することで、ドア６に取り付ける。尚、各駆動装置２０，２１及び給電装置３の受電部５のドア６への取り付け、及び給電装置３の送電部４のドア枠７への取り付けは、それぞれねじ等を用いて行っている。当然ながら、この他の取り付け方法を用いても良い。
【００４４】
そして、このようにしてドア６に設置した駆動装置２０を電源線Ｌ１にて給電装置３の受電部５に接続するとともに、駆動装置２１を電源線Ｌ２にて駆動装置２１に接続することで電気錠１の設置が完了する。
【００４５】
ところで、これら電源線Ｌ１，Ｌ２は、ドア６の裏面６ａに直に配線するようにしてもよいが、本実施形態のようにドア６が、骨組の両面に板材を貼り付けてなるフラッシュドアである場合は、室内側の板材に孔を開けて、フラッシュドア内に電源線Ｌ１，Ｌ２を通すようにしてもよい。このようにすれば、電源線Ｌ１，Ｌ２が隠れるため、外観がすっきりして、美観の向上を図ることが可能となる。
【００４６】
以上述べたように、本実施形態の電気錠１によれば、ドア６の近傍に給電装置３の送電部４を取り付けるとともに、ドア６に給電装置３の受電部５及び駆動装置２０，２１を取り付けるだけの簡単な作業で設置できるから、ドア６の施工作業後でも容易に設置できるという効果を奏する。また、給電装置３により非接触で駆動装置２０，２１に商用電源ＡＣから電力供給を行えるから、電池等を用いる場合とは異なり、突然動作が停止してしまうことがなくなって略永続的に駆動装置２０，２１を動作させることが可能となり、常に安定した動作が行えるという効果を奏する。
【００４７】
尚、本実施形態では、サムターンを操作するために、外周面に凹凸部を設けたサムターン摘みを用いた駆動装置の例を示しているが、駆動装置の構成はこの例に限られるものではない。例えば、上記の駆動装置としては、駆動装置により自動操作を行えるとともに、手動操作を行えるサムターンを備えたものであってもよい。このような駆動装置を設置する場合は、ドア６に設置されている錠装置から既設のサムターンを取り外し、代わりに駆動装置のサムターンを取り付けるようにすればよい。ここで、錠装置からのサムターンの取り外しは、ドアを開いた状態であれば行えるから、このような駆動装置によっても、ドア６の施工作業後でも容易に設置できるという効果が得られる。
【００４８】
また尚、駆動装置にドア６の開閉を検知するセンサ等を設けて、ドア６の施解錠が正しく行われたかどうかを検知する施解錠検知機能を設けるようにしてもよいし、その他の機能を組み合わせるようにしてもよい。これらの点は、後述する実施形態２〜５においても同様である。
【００４９】
（実施形態２）
本実施形態の電気錠１０は、図３（ａ），（ｂ）に示すように、駆動装置２０と、給電装置３の受電部５が一体に形成されていることに特徴があり、その他の構成については上記実施形態１の電気錠１と同様であるから、同様の構成については同一の符号を付して説明を省略する。尚、電気錠１０の動作は、上記実施形態１の電気錠１と同様であるから説明を省略する。
【００５０】
すなわち、電気錠１０は、図３（ａ），（ｂ）に示すように、駆動装置２０に受電部５を一体に形成してなる一体型駆動部２２と、駆動装置２１と、送電部４とで構成されている。尚、図３（ｂ）では一体型駆動部２２を簡略化して示している。
【００５１】
一体型駆動装置２２は、駆動装置２０の筐体２０ａと、給電装置３の受電部５の筐体５ｂとを一体に形成してなる筐体２２ａに、駆動装置２０のサムターン摘み２０ｂを回転自在に取り付けるとともに、上述した駆動装置２０の構成要素（サムターン摘み２０ｂを回動させる駆動機構部、受信部、及び制御部）と、上述した受電部５の構成要素（２次巻線５ｂ、及び整流回路５ａ）とを収納することで構成されている。そして、駆動装置２０と受電部５は、この筐体２２ａ内で電気的に接続されている。また、この一体型駆動装置２２では、２次巻線５ｂは、一体型駆動装置２２をドア６に設置した際に、筐体２２ａにおいてドア６の外側を向く面（図３（ａ）における右面）に近接するようにして筐体２２ａに収納されている。
【００５２】
本実施形態の電気錠１０は、以上述べた一体型駆動装置２２と、実施形態１で述べた駆動装置２１と、送電部４とで構成されており、次に、電気錠１０の設置方法（取付方法）について説明する。
【００５３】
一体型駆動装置２２は、サムターン摘み２０ｂを第１錠装置８０のサムターンに被着するとともに、筐体２２ａをドア６の裏面６ａに固定することで、ドア６に取り付ける。一方、給電装置３の送電部４は、ドア枠７において室内側となる面（図３（ａ）に示す例では、ドア枠７の縦枠７１において室内側となる面）に、１次巻線４ｂを一体型駆動装置２２の２次巻線５ｂに近接、対向させて２次巻線５ｂと１次巻線４ｂをトランス結合させた状態で取り付ける。このように送電部４を取り付けた後には、送電部４を電源線Ｌ３によって室内（屋内）の商用電源ＡＣに接続する。
【００５４】
駆動装置２１は、サムターン摘み２１ｂを第２錠装置８１のサムターンに被着するとともに、筐体２１ａをドア６の裏面６ａに固定することで、ドア６に取り付ける。尚、各駆動装置２２，２１のドア６への取り付け、及び給電装置３の送電部４のドア枠７への取り付けは、それぞれねじ等を用いて行っている。当然ながら、この他の取り付け方法を用いても良い。そして、このようにしてドア６に設置した駆動装置２１を、電源線Ｌ２を用いて一体型駆動装置２２の受電部に接続することで電気錠１０の設置が完了する。
【００５５】
尚、電源線Ｌ２は、ドア６の裏面６ａに直に配線するようにしてもよいが、本実施形態のようにドア６が、骨組の両面に板材を貼り付けてなるフラッシュドアである場合は、室内側の板材に孔を開けて、フラッシュドア内に電源線Ｌ２を通すようにしてもよい。このようにすれば、電源線Ｌ２が隠れるため、外観がすっきりして、美観の向上を図ることが可能となる。
【００５６】
以上述べた本実施形態の電気錠１０によれば、ドア６の近傍に給電装置３の送電部４を取り付けるとともに、一体型駆動装置２２と駆動装置２１をドア６に取り付けるだけの簡単な作業で設置できるから、ドア６の施工作業後でも容易に設置できるという効果を奏する。加えて、給電装置３の受電部５と駆動装置２０を一体に形成してなる一体型駆動装置２２を用いているので、受電部５と駆動装置２０の取り付けを一括して行え、これにより、実施形態１のように受電部５と駆動装置２０を別個に取り付ける場合に比べて、電気錠の設置作業が容易になるという効果を奏する。
【００５７】
また、上記実施形態１と同様に、給電装置３により非接触で一体型駆動装置２２及び駆動装置２１に商用電源ＡＣから電力供給を行えるから、電池等を用いる場合とは異なり、突然動作が停止してしまうことがなくなって略永続的に一体型駆動装置２２及び駆動装置２１を動作させることが可能となり、常に安定した動作が行えるという効果を奏する。
【００５８】
（実施形態３）
ところで、ドア６は、横框と縦框とで矩形枠状の骨組を形成し、この骨組の両面に合板等の矩形状の板材を貼り付けることで構成されているため、その中身が中空となっており、また、ドア枠７を構成する縦枠７０，７１及び横枠７２は、それぞれアルミ等の金属材料を用いて角筒状に形成されているため、ドア６と同様に中身が中空となっている。
【００５９】
本実施形態の電気錠１１は、上記の点を利用することで、電気錠１１の給電装置３１を設置した際に、ドア６及びドア枠７の美観を損なわないように配慮したものである。
【００６０】
以下に、本実施形態の電気錠１１について詳細に説明する。電気錠１１は、駆動装置２０，２１と給電装置３１とで構成されている。尚、以下の説明では、上記実施形態１の電気錠１と同様の構成については同一の符号を付して説明を省略する。また尚、電気錠１１の動作についても上記実施形態１の電気錠１と同様であるから説明を省略する。
【００６１】
給電装置３１は、図４（ａ）に示すように、送電部４１と、受電部５１とで構成されている。
【００６２】
送電部４１は、実施形態１の送電部４と同様に、電源線Ｌ３を用いて商用電源ＡＣに接続されて、商用電源ＡＣの電源電圧を元にして高周波電圧を出力する高周波インバータ４ａと、高周波インバータ４ａが出力する高周波電圧が印加される１次巻線４ｂと、これらを収納する筐体４１ａとを備えている。ここで、１次巻線４ｂは、筐体４１ａの一面に近接するように筐体４１ａに収納されている。また、筐体４１ａは、上述したように角筒状である横枠７２内に収納できる程度の大きさに形成されている。
【００６３】
受電部５１は、ドア６が閉じられた状態で送電部４１の１次巻線４ｂと非接触でトランス結合する２次巻線５ｂと、２次巻線５ｂに生じる電圧を整流して出力するダイオードブリッジ等からなる整流回路５ａと、これらを収納する筐体５１ａとを備えている。ここで、２次巻線５ｂは、筐体５１ａの一面に近接するように筐体５１ａに収納されている。また、筐体５１ａは、ドア６の骨組の両面に貼り付けられる板材間の空間部に収納できる程度の大きさに形成されている。
【００６４】
したがって、本実施形態の電気錠１１では、給電装置３１の設置作業を次のようにして行う。尚、駆動装置２０，２１の設置作業は上記実施形態１と同様であるから説明を省略する。
【００６５】
給電装置３１（送電部４１及び受電部５１）を設置する際には、前準備として、図４（ｂ）に示すようにドア枠７においてドア６と対向する面（図４（ｂ）に示す例では、ドア枠７の横枠７２の下面）に、送電部４１の筐体４１ａの前記一面を外部に臨ませるための送電用窓孔７ａを形成する。また、図４（ｂ）に示すように、ドア６を閉じた状態で窓孔７ａと対向するドア６の面に、受電部５１の筐体５１ａの前記一面を外部に臨ませるための受電用窓孔６ｄを形成する。
【００６６】
次に、送電部４１と受電部５１の設置方法について説明する。送電部４１は、ドア枠７に設けられた送電用窓孔７ａから筐体４１ａの前記一面を臨ませるようにしてドア枠７内に収納する。この後に、送電部４１を電源線Ｌ３により商用電源ＡＣに接続する。受電部５１は、ドア６に設けられた受電用窓孔６ｄから筐体５１ａの前記一面を臨ませるようにしてドア６内に収納する。尚、受電部５１のドア６内への収納作業は、ドア６の板材を剥がすことによって行うことができる。
【００６７】
このようにして設置された給電装置３１は、ドア６が閉じた状態では、送電用窓孔７ａに臨む送電部４１の筐体４１ａの前記一面と、受電用窓孔６ｄに臨む受電部５１の筐体５１ａの前記一面とが対向し、これにより送電部４１の１次巻線４ｂと受電部５１の２次巻線５ｂとがトランス結合されることになって、送電部４１から受電部５１への電力供給が可能となる。
【００６８】
以上述べた本実施形態の電気錠１１によれば、上記実施形態１と同様の効果を奏する上に、送電部４１がドア枠７内に、受電部５１がドア６に、それぞれ収納（埋設）されているので、これら送電部４１及び受電部５１が見えないようになっており、これによりドア６及びドア枠７の美観を損なうことなく設置できるという効果を奏する。
【００６９】
尚、上記の例では、ドア６及びドア枠７の中身がそれぞれ中空の場合であったが、ドア６が框（框組）ドアのように鏡板を用いるようなものであったり、ドア枠７が木材であったりして、中身が充填されているようなものである場合は、送電部４１の収納用の凹所をドア枠７に設けるとともに、受電部５１の収納用の凹所をドア６に設けることで、送電部４１と受電部５１を埋設するようにすれば、同様の効果を得ることができる。
【００７０】
また尚、本実施形態の構成は、上記実施形態２にも採用することができ、送電部として本実施形態の送電部４１を用い、この送電部４１をドア枠７内に収納するとともに、一体型駆動装置２２をドア６内に収納するようにしてもよい。
【００７１】
（実施形態４）
ところで、実施形態３では、送電部４１の筐体４１ａをドア枠７に埋設するようにしているが、ドア枠７の枠材である縦枠７０，７１や横枠７２のサイズ（厚み寸法や幅寸法）が、送電部４１の筐体４１ａの寸法より小さい場合、送電部４１の筐体４１ａをドア枠７に埋設することができないおそれがある。このような場合に、受電部５１をドア６に埋設したままとすると、送電部４１の１次巻線４ｂと受電部５１の２次巻線５ｂの距離が離れてトランス結合がうまく行えなくなるため、受電部５１もドア６に埋設せずにドア６の裏面６ａに設置しなければならなかった。
【００７２】
そこで、本実施形態の電気錠１２では、ドア枠７の縦枠７０，７１や横枠７２の厚み寸法や幅寸法が小さくて、送電部４１の筐体４１ａを埋設することができない場合であっても、受電部５１をドア６に埋設して美観の向上を図ることを目的としている。
【００７３】
以下に、本実施形態の電気錠１２について詳細に説明する。本実施形態の電気錠１２は、図５（ａ）に示すように、駆動装置２０，２１と給電装置３２とで構成されている。尚、以下の説明では、上記実施形態３の電気錠１１と同様の構成については同一の符号を付して説明を省略する。また尚、電気錠１２の動作についても上記実施形態３の電気錠１１と同様であるから説明を省略する。
【００７４】
給電装置３２は、図５（ａ）に示すように、送電部４２と、受電部５１とで構成されている。ここで、送電部４２は、高周波インバータ４ａと、高周波インバータ４ａが出力する高周波電圧が印加される１次巻線４ｂと、これらを収納する筐体４２ａとを備えている。
【００７５】
そして、本実施形態の送電部４２の筐体４２ａは、主として高周波インバータ４ａが収納される略矩形状の第１収納部４２ｂと、第１収納部４２ｂに一体に突設され、主として１次巻線４ｂが収納される第２収納部４２ｃとを備え、第２収納部４２ｃは、ドア枠７に収納可能（埋設可能）な大きさに形成されている。すなわち、第２収納部４２ｃは、１次巻線４ｂを収納できる程度の大きさであればよいから、ドア枠７の縦枠７０，７１や横枠７２の厚み寸法や幅寸法が小さい場合であっても、ドア枠７に埋設可能な大きさに形成することが可能になるのである。
【００７６】
したがって、本実施形態の電気錠１２では、給電装置３２の設置作業を次のようにして行う。尚、駆動装置２０，２１の設置作業は上記実施形態１と同様であるから説明を省略する。
【００７７】
まず、給電装置３２を設置する際には、前準備として、図５（ｂ）に示すように、ドア枠７において室内側となる面（図５（ｂ）に示す例では、ドア枠７の横枠７２において室内側となる面）に送電部４２の筐体４２ａの第２収納部４２ｃを、前記室内側となる面から突出せずに収納可能な大きさの凹所７ｂを形成する。また、図５（ｂ）に示すように、ドア６を閉じた状態で凹所７ｂと対向するドア６の面に、受電部５１の筐体５１ａの前記一面を外部に臨ませるための受電用窓孔６ｄを形成する。
【００７８】
次に、給電装置３２の送電部４２をドア枠７に設置するのであるが、この設置作業は次のようにして行われる。すなわち、図５（ｂ）に示すように、ドア枠７に設けた収納凹所７ｂに１次巻線４ｂが収納されている第２収納部４２ｃを収納した状態で、第１収納部４２ｂをドア枠７にねじ止め等で取り付けることによって、送電部４２をドア枠７に設置するのである。また、送電部４２をドア枠７に取り付けた後には、送電部４２を電源線Ｌ３によって室内（屋内）の商用電源ＡＣに接続する。尚、受電部５１の設置作業は上記実施形態３で述べた通りであるから説明を省略する。
【００７９】
このようにして設置された給電装置３２は、ドア６が閉じた状態では、収納凹所７ｂ内に収納された第２収納部４２ｃと、受電用窓孔６ｄに臨む受電部５１の筐体５１ａの前記一面とが対向し、これにより送電部４２の１次巻線４ｂと受電部５１の２次巻線５ｂとがトランス結合されることになって、送電部４２から受電部５１への電力供給が可能となる。
【００８０】
以上述べた本実施形態の電気錠１２では、送電部４２の筐体４２ａにおいて１次巻線４ｂが収納される第２収納部４２ｃがドア枠７の収納凹所７ｂに埋設されているため、受電部５１をドア６に埋設した場合でも、受電部５１の２巻線５ｂと送電部４２の１次巻線４ｂとをトランス結合させることができ、これにより受電部５１の筐体５１ｂをドア６から室内側に突出しないようにすることができる。
【００８１】
つまり、本実施形態の電気錠１２によれば、上記実施形態１と同様の効果を奏する上に、１次巻線４ｂのみをドア枠７に埋設するようにしているので、ドア枠７の枠材のサイズが送電部４２のサイズより小さい場合でも、受電部５１をドア６に埋設することが可能となるから、ドア６の美観を損なうことなく設置できるという効果を奏する。また、送電部４２は、第２収納部４２ｃがドア枠７に埋設された状態で、ドア枠７の後面（室内側の面）に設置されるので、実施形態１のように高周波インバータ回路４ａと１次巻線４ｂを収納した送電部４の筐体４ｃをドア枠７に設ける場合に比べて、送電部４２の室内側に突出する量を減らすことができ、これにより送電部４２を目立たなくして、ドア枠７の美観を損ない難くすることができるという効果を奏する。また、第１収納部４２ｂは、ドア枠７に埋設する必要がないから、ドア枠７の大きさに設置場所が限定されることがなくなって、設置自由度を向上できるという効果を奏する。
【００８２】
尚、本実施形態では、高周波インバータ４ａが収納される第１収納部４２ｂと、１次巻線４ｂが収納される第２収納部４２ｃとを一体に形成して送電部４２の筐体４２ａを構成していたが、これら第１収納部４２ｂと第２収納部４２ｃを別体としてもよい。
【００８３】
また尚、上記の例では、ドア６及びドア枠７の中身がそれぞれ中空の場合であったが、ドア６が框（框組）ドアのように鏡板を用いるようなものであったり、ドア枠７が木材であったりして、中身が充填されているようなものである場合は、送電部４２の第２収納部４２ｃの収納用の凹所をドア枠７に設けるとともに、受電部５１の収納用の凹所をドア６に設けることで、送電部４２と受電部５１を埋設するようにすれば、同様の効果を得ることができる。
【００８４】
ところで、受電部５１の筐体を、主として整流回路５ａが収納される収納部と、主として２次巻線５ｂが収納される収納部とで構成し（各収納部は一体であっても別体であってもよい）、２次巻線５ｂが収納される収納部のみをドア６に埋設するようにしてもよい。
【００８５】
このようにすれば、受電部５１は、２次巻線５ｂが収納される収納部がドア６に埋設された状態で、ドア６の裏面６ａに設置されるので、実施形態１のように整流回路５ａと２次巻線５ｂを収納した受電部５の筐体５ｃをドア６の裏面６ａに設置する場合に比べて、受電部５１の室内側に突出する量を減らすことができ、これにより受電部５１を目立たなくして、ドア６の美観を損ない難くすることができるという効果を奏する。また、整流回路５ａが収納された収納部は、ドア６に埋設する必要がないから、ドア６の大きさに設置場所が限定されることがなくなって、設置自由度を向上できるという効果を奏する。
【００８６】
ところで、本実施形態の構成は、上記実施形態２にも採用することができ、給電装置の送電部として本実施形態の送電部４２を用い、この送電部４２の第２収納部４２ｃをドア枠７内に収納するとともに、一体型駆動装置２２をドア６内に収納するようにしてもよい。このようにすれば、実施形態２の場合と同様に、受電部と駆動装置の取り付けを一括して行えるから、電気錠の設置作業が容易になるという効果を奏する。
【００８７】
（実施形態５）
本実施形態の電気錠１３は、駆動装置２０，２１と給電装置３３とで構成されている。尚、以下の説明では、上記実施形態３の電気錠１１と同様の構成については同一の符号を付して説明を省略する。また尚、電気錠１３の動作についても上記実施形態３の電気錠１１と同様であるから説明を省略する。
【００８８】
給電装置３３は、図６（ａ）に示すように、送電部４３と、受電部５１とで構成されている。送電部４３は、高周波インバータ４ａが収納される筐体４３ａと、筐体４３ａに収納された高周波インバータ４ａに電源線Ｌ４にて接続される１次巻線４３ｂとを備えている。ここで、１次巻線４３ｂは、例えば、絶縁性を有する基板に配線パターンによりコイルパターンを作成してなるフィルム状の空芯コイルであって、その厚みは、ドア枠７の横枠７２とドア６との隙間に配設可能な厚みとしている。
【００８９】
したがって、本実施形態の電気錠１３では、給電装置３３の設置作業を次のようにして行う。尚、駆動装置２０，２１の設置作業は上記実施形態１と同様であるから説明を省略する。
【００９０】
まず、給電装置３３を設置する際には、前準備として、図６（ｂ）に示すように、ドア６を閉じた状態でドア枠７と対向するドア６の面に、受電部５１の筐体５１ａの前記一面を外部に臨ませるための受電用窓孔６ｄを形成する。
【００９１】
次に、給電装置３３の送電部４３の筐体４３ａを、室内の所定場所に設置するとともに、電源線Ｌ３によって室内（屋内）の商用電源ＡＣに接続する。そして、送電部４３の１次巻線４３ｂを、ドア枠７の横枠７２においてドア６の受電用窓孔６ｄに対向する面に、接着剤等を用いて固着するとともに、電源線Ｌ４を用いて送電部４３の高周波インバータ４ａに接続する。尚、受電部５１の設置作業は上記実施形態３で述べた通りであるから説明を省略する。
【００９２】
このようにして設置された給電装置３３は、ドア６が閉じた状態では、ドア枠７に固着された１次巻線４３ｂと、受電用窓孔６ｄに臨む受電部５１の筐体５１ａの前記一面とが対向し、これにより送電部４３の１次巻線４３ｂと受電部５１の２次巻線５ｂとがトランス結合されることになって、送電部４３から受電部５１への電力供給が可能となる。
【００９３】
以上述べた本実施形態の電気錠１３では、送電部４３の１次巻線４３ｂがドア枠７においてドア６と対向する面に固着されているため、受電部５１をドア６に埋設した場合でも、受電部５１の２巻線５ｂと送電部４３の１次巻線４３ｂとをトランス結合させることができ、これにより受電部５１の筐体５１ｂをドア６から室内側に突出しないようにすることができる。
【００９４】
つまり、本実施形態の電気錠１３によれば、上記実施形態１と同様の効果を奏する上に、給電装置３３の受電部５１がドア６に埋設されているので、ドア６の美観を損なうことなく設置できるという効果を奏する。また、送電部４３の１次巻線４３ｂは、ドア枠７においてドア６と対向する面に配設けられ、筐体４３ａは、室内の所定箇所に設置できるから、実施形態１のように高周波インバータ回路４ａと１次巻線４ｂを収納した送電部４の筐体４ｃをドア枠７に設ける場合に比べて、送電部４３を目立たなくして、ドア枠７の美観を損ない難くすることができるという効果を奏する。
【００９５】
特に、フィルム状の１次巻線４３ｂを、ドア枠７とドア６の隙間に配置することで、送電部４３から受電部５１への電力供給を行うようにしているので、実施形態４とは異なり、ドア枠７を加工しなくて済むという効果を奏する。これにより、現状回復義務の負担を軽くすることも可能となる。また、ドア枠７を加工する必要がないから、ドア枠７の枠材のサイズに関係なく、受電部５１をドア６に埋設することが可能となるという効果を奏する。
【００９６】
本実施形態の電気錠の他の例としては、図７（ａ）に示すものが挙げられる。図７（ａ）に示す例では、電気錠の給電装置は、送電部４１と、受電部５２とで構成されている。尚、送電部４１は、上記実施形態２で述べたものと同様のものであるから説明を省略する。
【００９７】
受電部５２は、図７（ａ）に示すように、整流回路５ａが収納される筐体５２ａと、筐体５２ａに収納された整流回路５ａに電源線Ｌ５にて接続される２次巻線５２ｂとを備え、２次巻線５２ｂは、例えば、絶縁性を有する基板に配線パターンによりコイルパターンを形成してなるフィルム状の空芯コイルであって、その厚みは、ドア枠７の横枠７２とドア６との隙間に配設可能な厚みとしている。
【００９８】
したがって、図７（ａ）に示す例では、給電装置の受電部５２の設置作業を次のようにして行う。尚、駆動装置２０，２１の設置作業、及び給電装置の送電部４１の設置作業は上記実施形態３と同様であるから説明を省略する。
【００９９】
すなわち、受電部５２は、筐体５２ａをドア６の裏面６ａの所定場所に設置するとともに、電源線Ｌ１によって駆動装置２０に接続する。そして、受電部５２の２次巻線５２ｂを、ドア枠７に設けられた送電部４１の筐体４１ａの前記一面と対向するドア６の面に、接着剤等を用いて固着するとともに、電源線Ｌ５を用いて受電部５２の整流回路５ａに接続する。
【０１００】
このようにして設置された給電装置は、ドア６が閉じた状態では、ドア枠７に設けられた送電部４１の筐体４１ａの前記一面と、ドア６に固着された受電部５２の２次巻線５２ｂとが対向し、これにより送電部４１の１次巻線４１ｂと受電部５２の２次巻線５２ｂとがトランス結合されることになって、送電部４１から受電部５２への電力供給が可能となる。
【０１０１】
以上述べた図７（ａ）に示す例では、フィルム状の２次巻線５２ｂをドア枠７とドア６の隙間に配設することで、送電部４１から受電部５２への電力供給を行うようにしているので、ドア枠７に送電部４１を埋設した際に、ドア６を加工しなくても受電部５２を設置できるという効果を奏する。これにより現状回復義務の負担を軽くすることも可能となる。しかも、ドア６の裏面６ａには、整流回路５ａを収納した受電部５２の筐体５２ａが設けられることになるので、実施形態１のように整流回路５ａと２次巻線５ｂを収納した受電部５の筐体５ｃをドア６の裏面６ａに設置する場合に比べて、受電部５２の室内側に突出する量を減らすことができ、これにより受電部５２を目立たなくして、ドア６の美観を損ない難くすることができるという効果を奏する。
【０１０２】
本実施形態の電気錠のさらに他の例としては、図７（ｂ）に示すものが挙げられる。図７（ｂ）に示す例では、電気錠の給電装置は、送電部４３と、受電部５２とで構成されている。つまり、図７（ｂ）に示す例では、１次巻線４３ｂと２次巻線５２ｂの両方をフィルム状に形成してドア枠７とドア６の隙間に配設することで、送電部４３から受電部５２への電力供給を行うようにしているので、ドア枠７とドア６の両方を加工しなくても送電部４３及び受電部５２を設置できるという効果を奏する。これにより現状回復義務の負担を軽くすることも可能となる。
【０１０３】
しかも、送電部４３の１次巻線４３ｂは、ドア枠７においてドア６と対向する面に設けられ、筐体４３ａは、室内の所定箇所に設置できるから、実施形態１のように高周波インバータ回路４ａと１次巻線４ｂを収納した送電部４の筐体４ｃをドア枠７に設ける場合に比べて送電部４３を目立たなくして、ドア枠７の美観を損ない難くすることができるという効果を奏する。また、ドア６の裏面６ａには、整流回路５ａを収納した受電部５２の筐体５２ａが設けられることになるので、実施形態１のように整流回路５ａと２次巻線５ｂを収納した受電部５の筐体５ｃをドア６の裏面６ａに設置する場合に比べて、受電部５２の室内側に突出する量を減らすことができ、これにより受電部５２を目立たなくして、ドア６の美観を損ない難くすることができるという効果を奏する。
【図面の簡単な説明】
【０１０４】
【図１】（ａ）は、実施形態１の電気錠の説明図であり、（ｂ）は、電気錠の取り付け状態を示す部分説明図である。
【図２】電気錠のブロック図である。
【図３】（ａ）は、実施形態２の電気錠の説明図であり、（ｂ）は、電気錠の取り付け状態を示す部分説明図である。
【図４】（ａ）は、実施形態３の電気錠の説明図であり、（ｂ）は、電気錠の取り付け状態を示す部分説明図である。
【図５】（ａ）は、実施形態４の電気錠の説明図であり、（ｂ）は、電気錠の取り付け状態を示す部分説明図である。
【図６】（ａ）は、実施形態５の電気錠の説明図であり、（ｂ）は、電気錠の取り付け状態を示す部分説明図である。
【図７】（ａ）は、実施形態５の電気錠の他例を示す部分説明図であり、（ｂ）は、さらに他の例を示す部分説明図である。
【符号の説明】
【０１０５】
１    電気錠
２０，２１  駆動装置
３    給電装置
４  送電部
５  受電部
６    ドア
６ａ  裏面
７    ドア枠
８０  第１錠装置
８１  第２錠装置
ＡＣ  商用電源
【図１】
2007321425.tif 000003
【図２】
2007321425.tif 000004
【図３】
2007321425.tif 000005
【図４】
2007321425.tif 000006
【図５】
2007321425.tif 000007
【図６】
2007321425.tif 000008
【図７】
2007321425.tif 000009